(57)【要約】【課題】  容易に光学シートとケースとを位置決め嵌合させることを目的とする。【解決手段】  表示部材１の視認される側の反対側に配置されるシート部材２と、表示部材１とシート部材２とを支持するケース部材３と、を備えた表示装置において、シート部材２は、ケース部材３に形成された挿し込み部３４に挿し込まれる凸部２１と、凸部２１の近傍に配置され、ケース部材３に形成された第１の位置決め部３２と嵌合し、凸部２１の挿し込み方向と一致する方向に長孔状に形成され、挿し込み方向に直交する方向を位置決めする第１の位置決め孔２２と、ケース部材３に形成された第２の位置決め部３３と嵌合し、挿し込み方向を位置決めする第２の位置決め孔２３と、を有し、第１の位置決め孔２２における第１の位置決め部３２の挿し込み方向の移動量Ｌ１の半分の長さと、凸部２１と挿し込み部３４との重なり量Ｌ２と、が略同一に形成される。【選択図】  図３
2020082895.tif 000002
【特許請求の範囲】
【請求項１】
表示部材と、前記表示部材の視認される側の反対側に配置されるシート部材と、前記表示部材と前記シート部材とを支持するケース部材と、を備えた表示装置において、
前記シート部材は、前記ケース部材に形成された挿し込み部に挿し込まれる凸部と、前記凸部の近傍に配置され、前記ケース部材に形成された第１の位置決め部と嵌合し、前記凸部の挿し込み方向と一致する方向に長孔状に形成され、前記挿し込み方向に直交する方向を位置決めする第１の位置決め孔と、前記ケース部材に形成された第２の位置決め部と嵌合し、前記挿し込み方向を位置決めする第２の位置決め孔と、を有し、前記第１の位置決め孔における前記第１の位置決め部の前記挿し込み方向の移動量の半分の長さと、前記凸部と前記挿し込み部との重なり量と、が略同一に形成されることを特徴とする表示装置。
【請求項２】
前記第１の位置決め部と前記第２の位置決め部とを結ぶ結合線上に、前記挿し込み部が形成されることを特徴とする請求項１に記載の表示装置。
【請求項３】
前記第１の位置決め孔は、前記凸部に形成されることを特徴とする請求項１に記載の表示装置。
【請求項４】
前記シート部材は、前記第２の位置決め孔の近傍で、前記ケース部材に形成された係止部に係止されることを特徴とする請求項１に記載の表示装置。
【発明の詳細な説明】
【技術分野】
【０００１】
本開示は、表示装置に関し、特に拡散板等の光学シートをケースに固定する表示装置に関するものである。
【背景技術】
【０００２】
従来から、拡散板をケースに固定する表示装置として、例えば下記特許文献が知られている。特許文献１に記載の表示装置は、液晶表示パネルと、この液晶表示パネルが支持されるケースと、このケースと液晶表示パネルとの間に配置された光学シートと、ケースの背後に配置され接続部材が接続される回路基板とを備え、光学シートは、光学シートに形成された凸部がケースに形成された挿し込み部に挿入されることで、法線方向を固定され、その後、光学シートに形成された位置決め孔（丸孔と長孔）がケースに形成された位置決めピン（２本）に挿入されることで、面方向を固定するものである。
【先行技術文献】
【特許文献】
【０００３】
【特許文献１】特開２０１５−１６１８６２号公報
【発明の概要】
【発明が解決しようとする課題】
【０００４】
しかしながら、凸部と挿し込み部にガタツキが生じていると、位置決め孔を位置決めピンに挿し込み難いといった問題点があった。
【０００５】
そこで、本発明はこの様な点に鑑みなされたもので、凸部と挿し込み部のガタツキを抑え、容易に光学シートとケースとを位置決め嵌合させることが可能な表示装置を提供することを目的とする。
【課題を解決するための手段】
【０００６】
上記目的を達成するため、本開示の表示装置は、表示部材１と、前記表示部材１の視認される側の反対側に配置されるシート部材２と、前記表示部材１と前記シート部材２とを支持するケース部材３と、を備えた表示装置において、前記シート部材２は、前記ケース部材３に形成された挿し込み部３４に挿し込まれる凸部２１と、前記凸部２１の近傍に配置され、前記ケース部材３に形成された第１の位置決め部３２と嵌合し、前記凸部２１の挿し込み方向と一致する方向に長孔状に形成され、前記挿し込み方向に直交する方向を位置決めする第１の位置決め孔２２と、前記ケース部材３に形成された第２の位置決め部３３と嵌合し、前記挿し込み方向を位置決めする第２の位置決め孔２３と、を有し、前記第１の位置決め孔２２における前記第１の位置決め部３２の前記挿し込み方向の移動量Ｌ１の半分の長さと、前記凸部２１と前記挿し込み部３４との重なり量Ｌ２と、が略同一に形成されることを特徴とする。
【発明の効果】
【０００７】
本開示は、凸部と挿し込み部のガタツキを抑え、容易に光学シートとケースとを位置決め嵌合させることが可能な表示装置を提供することができる。
【図面の簡単な説明】
【０００８】
【図１】本開示の実施形態に係る表示装置の正面図。
【図２】図１の表示板を省いた正面図において、拡散板の凸部を挿し込み部に挿し込む前の状態を示す図。
【図３】図２において、拡散板の凸部を挿し込み部に挿し込んだ状態を示す図。
【図４】図３のＡ−Ａ線の沿った本開示の実施形態に係る表示装置の断面図。
【図５】図３のＢ−Ｂ線の沿った本開示の実施形態に係る表示装置の断面図。
【図６】本開示の表示装置の変形例を示す正面図。
【発明を実施するための形態】
【０００９】
本開示の実施形態について図１乃至６を参照して説明するが、本開示はこれら実施形態に限定されるものではなく、本開示を逸脱することなく種々の変更が可能である。
【００１０】
本開示の実施形態に係る表示装置１００を、図１乃至５を参照して説明する。表示装置１００は、車両（例えば、自動車）に搭載され、所定の計測量（車両速度など）を表示する計器装置として構成される。
【００１１】
尚、以下では、表示装置１００の構成の理解を容易にするために、各部材に対して、表示装置１００から車両運転席に着座したユーザーを見る方向を「前（正面）」、その反対側を「後（背面）」とし、それぞれを図中の矢印の「Ｆｒ．」、「Ｒｅ．」で示す。また、その他、「上」、「下」、「左」、「右」を図中の矢印「Ｔｏ．」、「Ｂｏ．」、「Ｌ」、「Ｒ」として適宜説明する。
【００１２】
表示装置１００は、文字板１（表示部材）と、文字板１の視認される側の反対側に配置される拡散板２（シート部材）と、文字板１と拡散板２とを支持するケース部材３と、拡散板２を背後から照明する光源５と、光源５が実装された回路基板４と、を少なくとも備える。
【００１３】
文字板１は、例えば透明又は半透明の透光性のポリカーボネート樹脂等からなる薄板状の基材の表裏面に遮光性の黒色のインキが印刷されたものからなり、三日月形状の意匠部１１と、指針６により指示される目盛や数字や文字から構成される速度計意匠１２と、液晶表示器７を視認可能とする開口窓１３と、警告灯１４と、を有する。
【００１４】
拡散板２は、例えば透明又は半透明の透光性のポリカーボネート樹脂等からなる薄板状の基材の表裏面に透光性の白色のインキが印刷されたものからなり、光源５の光を拡散する。拡散板２は、図２に示すように、三日月形状の意匠部１１を包括するように、上辺２ａ，下辺２ｂ，左側辺２ｃ，右側辺２ｄとからなる縦長形状に形成される。また、左側辺２ｃと右側辺２ｄは、三日月形状の意匠部１１に沿うように形成され、左側辺２ｃは凹んだ曲面に形成され、右側辺２ｄは凸状の曲面に形成される。
【００１５】
拡散板２は、第１凸部（凸部）２１と、位置決め長孔（第１の位置決め孔）２２と、位置決め丸孔（第２の位置決め孔）２３と、第２凸部２４と、を有する。
【００１６】
第１凸部２１は、四角形状に形成され、上辺２ａの中央の位置から上方向（第１凸部２１の挿し込み方向）へ突出する。第１凸部２１は、位置決め長孔２２と位置決め丸孔２３とを結ぶライン（結合線）Ｈ上に形成される。
【００１７】
位置決め長孔２２は、第１凸部２１の突出方向（上下方向）に略一致した方向に伸びた長孔状に形成された貫通孔である。位置決め長孔２２は、第１凸部２１の近傍の位置、及び、上辺２ａから少し下の位置、並びに、意匠部１１の上側の端部の近傍の位置に配置される。
【００１８】
位置決め丸孔２３は、丸孔状に形成された貫通孔である。位置決め丸孔２３は、下辺２ｂから少し上の位置、及び、意匠部１１の下側の端部の近傍の位置に配置される。第２凸部２４は、四角形状に形成され、右側辺２ｄの中央の位置から右方へ突出する。
【００１９】
ケース部材３は、白色の合成樹脂（例えば、ポリプロピレン）からなり、前面で文字板１を保持し、後面で回路基板４を保持する。ケース部材３は、凹状に形成されて拡散板２を収容する収容部３９を有する。収容部３９は、載置面３１と、第１位置決めピン（第１の位置決め部）３２と、第２位置決めピン（第２の位置決め部）３３と、第１挿し込み部（挿し込み部）３４と、第２挿し込み部３５と、アギ部（係止部）３６と、照明室３７と、を有する。
【００２０】
載置面３１は、文字板１と拡散板２との間に隙間が設けられるような位置で、拡散板２の背面側を載置する面である。
【００２１】
第１位置決めピン３２は、円柱形状に形成され、位置決め長孔２２に対応する位置の載置面３１に配置される。第１位置決めピン３２は、位置決め長孔２２と嵌合し、位置決め長孔２２の長孔方向（上下方向）に直交する方向を位置決めする。拡散板２は、位置決め長孔２２と第１位置決めピン３２とが嵌合した状態で、上下方向に移動（スライド）できる。ここで、位置決め長孔２２の中を第１位置決めピン３２が移動できる量を拡散板２の移動可能量（移動量）Ｌ１とする。
【００２２】
第２位置決めピン３３は、円柱形状に形成され、位置決め丸孔２３に対応する位置の載置面３１に配置される。第２位置決めピン３３は、位置決め丸孔２３と嵌合し、位置決め長孔２２の長孔方向（上下方向）及び、位置決め長孔２２の長孔方向（上下方向）に直交する方向を少なくとも位置決めする。
【００２３】
第１挿し込み部３４は、収容部３９の立壁に開いた穴からなり、第１凸部２１が挿入されて、第１凸部２１の前面側を押さえるように形成される。第１凸部２１と第１挿し込み部３４のラップ量（重なり量）Ｌ２は、移動可能量Ｌ１の半分の長さと、略同一に形成される。第１挿し込み部３４の幅Ｗは、第１凸部２１の幅（左右方向の寸法）より、１ｍｍ以下の僅かな隙間を有する程度に形成されている。
【００２４】
第２挿し込み部３５は、収容部３９の立壁に開いた穴からなり、第２凸部２４が挿入されて、第２凸部２４の前面側を押さえるように形成される。第２凸部２４と第２挿し込み部３５のラップ量（重なり量及び挿し込み量）Ｌ３は、移動可能量Ｌ１の半分の長さと、略同一に形成される。
【００２５】
アギ部３６は、収容部３９の立壁から突出し、下辺２ｂが引っ掛かり、拡散板２の前面側を押さえるように形成される。照明室３７は、拡散板２の背後に形成され、意匠部１１よりも大きい開口を有し、光源５を収容する。
【００２６】
回路基板４は、例えばＦＲ−４（Ｆｌａｍｅ  Ｒｅｔａｒｄａｎｔ−４）等の平板状のガラスエポキシ系基材に配線パターン（図示せず）を施した硬質配線基板からなり、速度計意匠１２を指示する指針６を駆動する駆動装置（図示せず）と、光源５と、を実装し、駆動装置，光源５，液晶表示器７を駆動・制御するための指令信号を出力する制御手段，抵抗，コンデンサ等の各種回路部品（図示せず）が前記配線パターンに導通接続されている。
【００２７】
光源５は、適宜色を発するトップビュー型のチップ型発光ダイオード（ＬＥＤ：Ｌｉｇｈｔ  Ｅｍｉｔｔｉｎｇ  Ｄｉｏｄｅ）からなり、照明室３７に配置される。光源５の発する光は、ケース部材３の照明室３７を通り、拡散板２を背後から照明し、拡散板２を透過する際に拡散し、再度、ケース部材３を通る際に拡散され、文字板１を背後から照明し、意匠部１１を透過し、視認者に視認される。
【００２８】
以下に、拡散板２のケース部材３の載置面３１への組み付け方法について説明する。図２に示すように、第１位置決めピン３２に位置決め長孔２２を嵌合させる。そして、位置決め長孔２２の上方向に突き当たる程度の位置に第１位置決めピン３２を合わせると、第１凸部２１と第２凸部２４とが載置面３１に載置する。その後、拡散板２を上方向にスライドさせて、第１凸部２１を第１挿し込み部３４に挿入し、第２凸部２４を第２挿し込み部３５に挿入する。そして、図３に示すように、第２位置決めピン３３に位置決め丸孔２３を嵌合させる。そして、アギ部３６に下辺２ｂを係止させる。
【００２９】
このように形成されることで、第１位置決めピン３２に位置決め長孔２２を嵌合させた後、スライドさせるだけで容易に第１凸部２１を第１挿し込み部３４に挿し込むことができる。同時に、容易に第２凸部２４を第２挿し込み部３５に挿し込むことができる。そして、第１凸部２１を第１挿し込み部３４に挿し込んだ後はラインＨに直行する方向のガタツキが生じないので、容易に位置決め丸孔２３を第２位置決めピン３３に嵌合させることができ、組立性が向上する。
【００３０】
本開示は、車両用の表示装置に関し、例えば、自動車やオートバイ、あるいは農業機械や建設機械を備えた移動体に搭載される車両用の表示装置に適用することができる。
【００３１】
例えば、第２凸部２４とアギ部３６は、どちらか一方があればよい。また、アギ部３６を廃止して、位置決め丸孔２３の近傍に、第１凸部２１や第２凸部２４のような凸部と、第１挿し込み部３４や第２挿し込み部３５のような挿し込み部と、を設けてもよい。
【００３２】
また、位置決め長孔２２は、凸部２１の近傍の位置の上辺２ａから少し下の位置に配置されていたが、図６に示すように、一部が第１凸部２１に配置されてもよいし、その全部が第１凸部２１に配置されてもよい。
【符号の説明】
【００３３】
１  表示部材
１１  意匠部
２  シート部材
２１  第１凸部（凸部）
２２  位置決め長孔（第１の位置決め孔）
２３  位置決め丸孔（第２の位置決め孔）
２４  第２凸部２４
３  ケース部材
３１  載置面
３２  第１位置決めピン（第１の位置決め部）
３３  第２位置決めピン（第２の位置決め部）
３４  第１挿し込み部（挿し込み部）
３５  第２挿し込み部
３６  アギ部（係止部）
３７  照明室
３９  収容部
４  回路基板
５  光源
６  指針
７  液晶表示器
Ｈ  ライン（結合線）
Ｌ１  移動可能量（移動量）
Ｌ２  ラップ量（重なり量）
【図１】
2020082895.tif 000003
【図２】
2020082895.tif 000004
【図３】
2020082895.tif 000005
【図４】
2020082895.tif 000006
【図５】
2020082895.tif 000007
【図６】
2020082895.tif 000008